(57)【特許請求の範囲】
【請求項１】
コ字形をなすクランプの水平をなす上片の上方に、該上片の下方に設けた圧接体を昇降させて、該圧接体と前記クランプの下片との間に嵌合した机の天板等を締付けるようにした操作部を設けた机への機器取付装置において、
下向Ｌ字形に屈曲する取付板の水平片に機器を取り付け、同じく水平片より垂設した支杆を、前記操作部の上端に設けた嵌合孔に嵌合し、かつ取付板の垂直片の下端部を、前記クランプにおける操作部から側方に離れた部分に係合させることにより、前記機器を支持するようにしたことを特徴とする机への機器取付装置。
【請求項２】
クランプの上片要所に係合孔を穿設し、この係合孔に取付板の垂直片の下端部を嵌合した請求項１記載の机への機器取付装置。
【請求項３】
取付板の支杆の長さ(L1)を、その垂直片の長さ(L2)と、クランプの上片から操作部の上端までの最大距離(L3max)との差(L4=L2-L3max)より大とした請求項１または２記載の机への機器取付装置。
【発明の詳細な説明】
【０００１】
【発明の属する技術分野】
本発明は、机の天板等に給電用のコンセントその他の機器を簡単に取り付ける装置に関する。
【０００２】
【従来の技術】
机上で使用される照明機具やコンピュータ等の多数の電気機器に対する電力は、通常壁面等に設けたコンセントより供給されるが、多数の給電コードが机上や机の周囲に露出して、邪魔になるとともに、体裁が悪い。
【０００３】
また、机にコンセントを設けて、電源より床下を経てコンセントに配線することにより、上述の問題を若干解消するようにしたものもあるが、机を移動する場合に面倒である。
【０００４】
この問題を解決する装置のヒントとなるものとして、実開平６−８０９９８号公報に、支柱の取付装置が開示されている。
【０００５】
【発明が解決しようとする課題】
しかしこの装置では、クランプを着脱するために握り部を回転操作する際、クランプを掴みながら、握り部を回転させねばならないが、天板の後端にクランプを取り付けた場合にはその操作が面倒である。
【０００６】
また機器を斜め前方から使用しうるようにするため、支柱を断面円形のものとし、支持孔を円筒形として、回転自在とすると、機器が随時回転して、不安定になる。
【０００７】
本発明は、机の天板等に、機器を安定して確実に取り付けることができるとともに、クランプ自体の着脱操作を容易とすることができ、必要時には機器を容易に回動させることもできるようにした机への機器取付装置を提供することを目的としている。
【０００８】
【課題を解決するための手段】
本発明によると、次のようにして上記課題は解決される。
(１)コ字形をなすクランプの水平をなす上片の上方に、該上片の下方に設けた圧接体を昇降させて、該圧接体と前記クランプの下片との間に嵌合した机の天板等を締付けるようにした操作部を設けた机への機器取付装置において、
下向Ｌ字形に屈曲する取付板の水平片に機器を取り付け、同じく水平片より垂設した支杆を、前記操作部の上端に設けた嵌合孔に嵌合し、かつ取付板の垂直片の下端部を、前記クランプにおける操作部から側方に離れた部分に係合させることにより、前記機器を支持する。
【０００９】
(２)前項において、クランプの上片要所に係合孔を穿設し、この係合孔に取付板の垂直片の下端部を嵌合する。
【００１０】
(３)前記(１)または(２)項において、取付板の支杆の長さ(L1)を、その垂直片の長さ(L2)と、クランプの上片から操作部の上端までの最大距離(L3max)との差(L4=L2-L3max)より大とする。
【００１１】
【発明の実施の形態】
添付の図面は本発明の一実施例を示すもので、本発明の装置は、クランプ(Ａ)と操作部(Ｂ)と圧接部(Ｃ)と取付部(Ｄ)とからなっている。
【００１２】
クランプ(Ａ)は、前向コ字形をなす合成樹脂製の取付体(１)の水平をなす上片(1a)の前端に、めねじ筒(２)を上向突設し、同じく中央部に、左右方向に長い係止孔(３)を穿設したものである。
【００１３】
めねじ筒(２)には、操作部(Ｂ)における合成樹脂製の有底の締付筒(４)が、上方より着脱自在に螺合されている。
【００１４】
締付筒(４)の外面にはおねじが切られ、締付筒(４)の上端中央には嵌合孔(4a)が形成され、また締付筒(４)の上端部外周には、若干の間隙を設けて締付筒(４)の上部を囲む下向きの操作筒(５)が連設されている。
【００１５】
操作筒(５)の底板(６)の直下の内面には、環状凹溝(７)が形成されている。
【００１６】
圧接部(Ｃ)は、合成樹脂製の欠円筒状をなす有底の圧接体(８)の底片の中央に、外周面に環状凸条(９)を設けた隆起部(8a)を形成し、かつ圧接体(８)の側面に、取付体(１)の上片(1a)に昇降自在に遊嵌しうる切欠(10)を形成したものである。
【００１７】
圧接体(８)は、その環状凸条(９)を締付筒(４)の環状凹溝(７)に着脱自在に弾性係合させることにより、回動自在に取り付けられ、常時は上端が取付体(１)の上片(1a)の上面よりやや突出し、操作筒(５)の下端に近接または当接している。
【００１８】
取付部(Ｄ)は、下向Ｌ字形に屈曲する合成樹脂製の取付板(12)の水平片(12a)の中央下面より支杆(13)を垂設し、かつ支杆(13)の左右において、水平片(12a)に取付孔(14)を穿設したものである。
取付板(12)の支杆(13)の長さ(L1)は、その垂直片(12)の長さ(L2)と、クランプ(Ａ)の上片(1a)から操作部(Ｂ)の上端までの最大距離(L3max)との差(L4=L2-L3max)より大(L1＞L2-L3max=L4)としてある。
【００１９】
この装置によると、取付板(12)の取付孔(14)に、たとえば給電用のコンセント(15)を取付け、支杆(13)を操作部(Ｂ)の締付筒(４)の上端における嵌合孔(4a)に上方より嵌合し、かつ垂直片(12b)の下端部を、クランプ(Ａ)の取付体(１)の上片(1a)の係合孔(３)へ嵌合することにより、コンセント(15)は、取付板(12)を介して、取付体(１)に、着脱自在かつ回動不能に、天板(11)の後端にも簡単に取り付けられる。
【００２０】
上述のように取り付けられたコンセント(15)を、取付板(12)とともに若干引き上げて、垂直片(12b)を係合孔(３)より引き抜き、垂直片(12b)の下端を、係合孔(３)からずれた上片(1a)の上面適所に当接させることにより、コンセント(15)を所望の方向に向けることができ、給電用プラグの抜き差しに便利である。
このとき、支杆(13)は、上述のような長さとしてあるので、垂直片(12b)の下端を係合孔(３)から抜き出しても、嵌合孔(4a)から抜け出ることはない。
【００２１】
上述の実施例においては、クランプ(Ａ)の取付体(１)の上片(1a)における操作部(Ｂ)の後方に係合孔(３)を穿設し、これに取付板(12)の垂直片(12b)の下端部を嵌合しているが、これに代えて、例えば、取付板(12)の垂直片(12b)の下端部を二股状とし、それをクランプ(Ａ)の取付体(１)の上片(1a)における操作部(Ｂ)から離れた部分に跨ぐように係合させてもよい。
【００２２】
【発明の効果】
(ａ) 請求項１の発明によると、機器を取り付けた取付板は、支杆と垂直片との２箇所でクランプ側に嵌合して支持されるので、機器を支杆まわりに回動することなく安定して確実に支持することができ、機器を掴んだ状態で操作部を回すことにより、クランプの共回りを阻止することができ、クランプを机等の所望の個所に、簡単に着脱することができる。
【００２３】
(ｂ) 請求項２の発明によると、取付板の垂直片の下端部と、クランプとの係合部分の構造を簡単にすることができる。
【００２４】
(ｃ) 請求項３の発明によると、取付板をやや持上げた状態で、機器を回動させることができるので、一時的に機器の向きを変えたい場合に便利である。
【図面の簡単な説明】
【図１】  使用時の本発明装置の側面図である。
【図２】  本発明装置の中央縦断側面図である。
【図３】  圧接体取付部の中央縦断拡大側面図である。
【図４】  クランプの平面図である。
【図５】  操作部の平面図である。
【図６】  圧接部の平面図である。
【図７】  取付部の平面図である。
【図８】  取付板を所定位置まで持ち上げたときの側面図である。
【符号の説明】
(Ａ)クランプ
(Ｂ)操作部
(Ｃ)圧接部
(Ｄ)取付部
(１)取付体
(1a)上片
(1b)下片
(２)めねじ筒
(３)係合孔
(４)締付筒
(4a)嵌合孔
(５)操作筒
(６)底板
(７)環状凹溝
(８)圧接体
(8a)底片
(8b)隆起部
(９)環状凸条
(10)切欠
(11)天板
(12)取付板
(12a)水平片
(12b)垂直片
(13)支杆
(14)取付孔
(15)コンセント
【図１】
0003697646.tif 000002
【図２】
0003697646.tif 000003
【図３】
0003697646.tif 000004
【図４】
0003697646.tif 000005
【図５】
0003697646.tif 000006
【図６】
0003697646.tif 000007
【図７】
0003697646.tif 000008
【図８】
0003697646.tif 000009